(57)【特許請求の範囲】
【請求項１】
遊技台の台間に配置される台間サンドにおいて、
取付けベースの内部の上端面及び下端面に配置され、該取付けベースからの引出しまたは収納が可能な一対のアームと、
前記一対のアームの上端面及び下端面に固定された第１の仕切り板と、
前記一対のアームの上端面及び下端面に設けた溝に、第２の仕切り板は前記取付けベースから引出しまたは収納する方向に摺動可能に設けられ、前記一対のアームに対し前記第１の仕切り板と前記第２の仕切り板とを備え、
前記取付けベースに前記第１の仕切り板を収納するとき、該第１の仕切り板は、前記取付けベースから引出しまたは収納する方向に摺動する前記一対のアームと一体となって、前記取付けベースの内部に収納され、
前記第２の仕切り板は、前記取付けベースに収納されたとき、該第２の仕切り板の引出し方向側が、一部、常に前記取付けベースから露出し、
前記第２の仕切り板は、透明で、一定の強度と弾性を有しており、
第１の位置にある前記第２の仕切り板を引出したい場合、前記第２の仕切り板に形成した指掛け部に指を掛け引出し、第２の仕切り板の引出しの中間位置で引出しを止めることができ、さらに、最終的に前記第２の仕切り板を全部引出した最終位置で引出しを終え、
前記第２の仕切り板の引出しに続けて、前記第１の仕切り板を前記一対のアームと共に引出すことは可能であり、前記第１の仕切り板の引出しは任意の位置で止めることができることを特徴とする台間サンド。
【請求項２】
前記取付けベースにおいて、その前面で、上部側に位置し縦型で掘り込み状の第１の収納部を有し、
前記第１の収納部は、少なくともポップ広告または遊技場のサービス案内情報を収納可能であることを特徴とする請求項１に記載の台間サンド。
【請求項３】
前記取付けベースにおいて、その前面で、前記第１の収納部に対し垂直下部側に位置し縦型の第２の収納部を有し、
前記第２の収納部は、基体が配置され、倒すことが可能な底部と支え部とを有し、前記基体に展開可能に軸支され、遊技客の所有物を載置することができることを特徴とする請求項１に記載の台間サンド。
【請求項４】
遊技台の台間に配置される台間サンドにおいて、
取付けベースの内部の上端面及び下端面に配置され、該取付けベースからの引出しまたは収納が可能な一対のアームと、
前記一対のアームの上端面及び下端面に固定された第１の仕切り板と、
前記一対のアームの上端面及び下端面に設けた溝に、第２の仕切り板は前記取付けベースから引出しまたは収納する方向に摺動可能に設けられ、前記一対のアームに対し前記第１の仕切り板と前記第２の仕切り板とを備え、
前記取付けベースに前記第１の仕切り板を収納するとき、該第１の仕切り板は、前記取付けベースから引出しまたは収納する方向に摺動する前記一対のアームと一体となって、前記取付けベースの内部に収納され、
前記第２の仕切り板は、前記取付けベースに収納されたとき、該第２の仕切り板の引出し方向側が、一部、常に前記取付けベースから露出し、
前記第２の仕切り板は、透明で、一定の強度と弾性を有しており、
第１の位置にある前記第２の仕切り板を引出したい場合、前記第２の仕切り板に形成した指掛け部に指を掛け引出し、
前記第２の仕切り板の引出しに続けて、前記第１の仕切り板を前記一対のアームと共に引出すことは可能である、遊技台の台間に配置される台間サンドにおいて、
前記取付けベースにおいて、その前面で上部側に位置し、縦型で掘り込み状の第１の収納部には、少なくともポップ広告または遊技場のサービス案内情報が収納可能であり、
前記取付けベースにおいて、前記第１の収納部に対し垂直下部側に位置する縦型の第２の収納部が配置され、遊技客の所有物を載置する、
ことを特徴とする遊技台の台間に配置される台間サンド。
【請求項５】
遊技台の台間に配置される台間サンドにおいて、
取付けベースの内部の上端面及び下端面に配置され、該取付けベースからの引出しまたは収納が可能な一対のアームと、
前記一対のアームの上端面及び下端面に固定された第１の仕切り板と、
前記一対のアームの上端面及び下端面に設けた溝に、第２の仕切り板は前記取付けベースから引出しまたは収納する方向に摺動可能に設けられ、前記一対のアームに対し前記第１の仕切り板と前記第２の仕切り板とを備え、
前記取付けベースに前記第１の仕切り板を収納するとき、該第１の仕切り板は、前記取付けベースから引出しまたは収納する方向に摺動する前記一対のアームと一体となって、前記取付けベースの内部に収納され、
前記第２の仕切り板は、前記取付けベースに収納されたとき、該第２の仕切り板の引出し方向側が、一部、常に前記取付けベースから露出し、
前記第２の仕切り板は、透明で、一定の強度と弾性を有しており、
第１の位置にある前記第２の仕切り板を引出したい場合、前記第２の仕切り板に形成した指掛け部に指を掛け引出し、
前記第２の仕切り板の引出しに続けて、前記第１の仕切り板を前記一対のアームと共に引出すことは可能である、遊技台の台間に配置される台間サンドにおいて、
前記取付けベースの前面の上部に配置され、ポップ広告を収納する、縦型の掘り込み状の第１の収納部を有し、
さらに、前記取付けベースにおいて、その前面で、前記第１の収納部に対し垂直下部に位置し、軸支され使用時に倒置される底部と、支え部とにより、遊技客の嗜好物または載置可能な所有物をセット可能な、縦型の第２の収納部が基体が配置される、
ことを特徴とする遊技台の台間に配置される台間サンド。
【請求項６】
遊技台の台間に配置される台間サンドにおいて、
取付けベースの内部の上端面及び下端面に配置され、該取付けベースからの引出しまたは収納が可能な一対のアームと、
前記一対のアームの上端面及び下端面に固定された第１の仕切り板と、
前記一対のアームの上端面及び下端面に設けた溝に、第２の仕切り板は前記取付けベースから引出しまたは収納する方向に摺動可能に設けられ、前記一対のアームに対し前記第１の仕切り板と前記第２の仕切り板とを備え、
前記取付けベースに前記第１の仕切り板を収納するとき、該第１の仕切り板は、前記取付けベースから引出しまたは収納する方向に摺動する前記一対のアームと一体となって、前記取付けベースの内部に収納され、
前記第２の仕切り板は、前記取付けベースに収納されたとき、該第２の仕切り板の引出し方向側が、一部、常に前記取付けベースから露出し、
前記第２の仕切り板は、透明で、一定の強度と弾性を有しており、
第１の位置にある前記第２の仕切り板を引出したい場合、前記第２の仕切り板に形成した指掛け部に指を掛け引出し、
前記第２の仕切り板の引出しに続けて、前記第１の仕切り板を前記一対のアームと共に引出すことは可能である、遊技台の台間に配置される台間サンドにおいて、
前記取付けベースにおいて、その前面で上部側に位置し、縦型で掘り込み状の第１の収納部には、少なくともポップ広告または遊技場のサービス案内情報が収納可能であり、
さらに、前記取付けベースにおいて、その前面で、前記第１の収納部に対し垂直下部に位置し、軸支され使用時に倒置される底部と、支え部とにより、遊技客の嗜好物または載置可能な所有物をセット可能な、縦型の第２の収納部が基体に配置される、
遊技台の台間に配置される台間サンド。
【請求項７】
前記第２の仕切り板は、前記一対のアームの溝の端部から脱落しないように、凸部が前記第２の仕切り板の上端と下端に設けられ、
前記第２の仕切り板を前記取付けベースから引出しまたは収納する動作に対応して、該第２の仕切り板の前記凸部を前記一対のアームの前記溝の端部に当接させて、前記第１の仕切り板を前記取付けベースから引出しまたは収納させることを特徴とする請求項１から請求項６のいずれかに記載の台間サンド。
【発明の詳細な説明】
【技術分野】
【０００１】
本発明は、遊技機の台間に配置される台間サンドに関する。
【背景技術】
【０００２】
パチンコ、パチスロなどの遊技機を取り扱う遊技場には、喫煙エリアと禁煙エリアを区分するなどの分煙対策を行う店舗もあるが、エリアとしては区分せず、喫煙又は禁煙の遊技客が混在する状態で隣接する遊技台の台間に後述するような手段を施して分煙を達成する店舗が存在する。また、喫煙・禁煙とは別の観点、すなわち、一人ひとりの遊技客の占有空間を明確化して隣り合う遊技客が互いに物理的又は精神的に干渉されないことを目的として、同様の手段を施す店舗もある。
【０００３】
このような手段としては、遊技機１台を完全に又は実質的に個室状態にするもののほかに、概ね、次の３つのタイプのものが提案されている。すなわち、仕切り板を設ける、スクリーンを設ける、又はエアカーテンを設ける、というものである。仕切り板については、例えば、特開２００９−２３３１３８号公報（特許文献１）に開示されている（図４参照）。この発明は、遊技機の台間に略コの字型の支持枠を台間に埋め込むように設け、支持枠に分煙パネルすなわち仕切り板をスライド可能に設けるというものである。スクリーンについては、例えば、特開２００８−６２０１２号公報（特許文献２）に開示されている（図５参照）。この発明は、遊技機の台間の上部に通路側へ突き出したケーシングを設け、ケーシング内に巻下げ巻上げ自在なロールスクリーンを設けるというものである。エアカーテンについては、例えば、特開２００８−８００５９号公報（特許文献３）に開示されている（図６参照）。この発明は、遊技機の台間に、下部に空気の吸引口を、上部に空気の吹出口を有する遊技場用エアカーテン装置を設けるというものである。
【先行技術文献】
【特許文献】
【０００４】
【特許文献１】特開２００９−２３３１３８号公報
【特許文献２】特開２００８−０６２０１２号公報
【特許文献３】特開２００８−０８００５９号公報
【発明の概要】
【発明が解決しようとする課題】
【０００５】
しかしながら、特許文献１の発明では、出玉状況を表示する表示部を有するスライド可能な分煙パネルであるが、分煙パネル自体は単なる仕切り板であることから、他の機能例えばポップ広告やドリンクなどの収納機能を有しておらず、遊技場としてはそれらの機能を備えた他の手段を別に用意しなければならないという問題がある。また、特許文献２の発明では、特許文献１の発明と同様に収納機能を有さず、ロールスクリーンが上下方向に巻下げ巻上げされることから、スクリーンが店内の空調機によって生じる空気の流れによって搖動し、そのはためく動き、音、接触により遊技に集中できないという問題がある。また、特許文献３の発明では、遊技客の近傍でエアカーテンが駆動されることから、ファンモータの音や振動が遊技客の集中を阻害したり、その駆動に要する電力やメンテナンスなどにコストがかかるという問題がある。
【０００６】
本発明は、上記の事情に鑑みなされたものであって、隣り合う遊技客同士の分煙機能を達成し、及び／又は、各遊技客の占有空間を確保し、遊技機からの仕切りの距離を幅広く調整でき、使用にあたり遊技客の集中を阻害せず、しかもコストのかからない台間サンドを提供することを目的とする。
【課題を解決するための手段】
【０００７】
上記課題を解決するために、（１）本発明は、遊技台の台間に配置される台間サンドにおいて、取付けベースの内部の上端面及び下端面に配置され、該取付けベースからの引出しまたは収納が可能な一対のアームと、前記一対のアームの上端面及び下端面に固定された第１の仕切り板と、前記一対のアームの上端面及び下端面に設けた溝に、第２の仕切り板は前記取付けベースから引出しまたは収納する方向に摺動可能に設けられ、前記一対のアームに対し前記第１の仕切り板と前記第２の仕切り板とを備え、前記取付けベースに前記第１の仕切り板を収納するとき、該第１の仕切り板は、前記取付けベースから引出しまたは収納する方向に摺動する前記一対のアームと一体となって、前記取付けベースの内部に収納され、前記第２の仕切り板は、前記取付けベースに収納されたとき、該第２の仕切り板の引出し方向側が、一部、常に前記取付けベースから露出し、前記第２の仕切り板は、透明で、一定の強度と弾性を有しており、第１の位置にある前記第２の仕切り板を引出したい場合、前記第２の仕切り板に形成した指掛け部に指を掛け引出し、第２の仕切り板の引出しの中間位置で引出しを止めることができ、さらに、最終的に前記第２の仕切り板を全部引出した最終位置で引出しを終え、前記第２の仕切り板の引出しに続けて、前記第１の仕切り板を前記一対のアームと共に引出すことは可能であり、前記第１の仕切り板の引出しは任意の位置で止めることができる。
【０００８】
（２）上記（１）において、前記取付けベースにおいて、その前面で、上部側に位置し縦型で掘り込み状の第１の収納部を有し、前記第１の収納部は、少なくともポップ広告または遊技場のサービス案内情報を収納可能である。
（３）上記（１）において、前記取付けベースにおいて、その前面で、前記第１の収納部に対し垂直下部側に位置し縦型の第２の収納部を有し、前記第２の収納部は、基体が配置され、倒すことが可能な底部と支え部とを有し、前記基体に展開可能に軸支され、遊技客の所有物を載置することができる。
【０００９】
（４）本発明の第２の態様では、遊技台の台間に配置される台間サンドにおいて、取付けベースの内部の上端面及び下端面に配置され、該取付けベースからの引出しまたは収納が可能な一対のアームと、前記一対のアームの上端面及び下端面に固定された第１の仕切り板と、前記一対のアームの上端面及び下端面に設けた溝に、第２の仕切り板は前記取付けベースから引出しまたは収納する方向に摺動可能に設けられ、前記一対のアームに対し前記第１の仕切り板と前記第２の仕切り板とを備え、前記取付けベースに前記第１の仕切り板を収納するとき、該第１の仕切り板は、前記取付けベースから引出しまたは収納する方向に摺動する前記一対のアームと一体となって、前記取付けベースの内部に収納され、前記第２の仕切り板は、前記取付けベースに収納されたとき、該第２の仕切り板の引出し方向側が、一部、常に前記取付けベースから露出し、前記第２の仕切り板は、透明で、一定の強度と弾性を有しており、第１の位置にある前記第２の仕切り板を引出したい場合、前記第２の仕切り板に形成した指掛け部に指を掛け引出し、前記第２の仕切り板の引出しに続けて、前記第１の仕切り板を前記一対のアームと共に引出すことは可能である、遊技台の台間に配置される台間サンドにおいて、前記取付けベースにおいて、その前面で上部側に位置し、縦型で掘り込み状の第１の収納部には、少なくともポップ広告または遊技場のサービス案内情報が収納可能であり、前記取付けベースにおいて、前記第１の収納部に対し垂直下部側に位置する縦型の第２の収納部が配置され、遊技客の所有物を載置する。
【００１０】
（５）本発明の第３の態様では、遊技台の台間に配置される台間サンドにおいて、取付けベースの内部の上端面及び下端面に配置され、該取付けベースからの引出しまたは収納が可能な一対のアームと、前記一対のアームの上端面及び下端面に固定された第１の仕切り板と、前記一対のアームの上端面及び下端面に設けた溝に、第２の仕切り板は前記取付けベースから引出しまたは収納する方向に摺動可能に設けられ、前記一対のアームに対し前記第１の仕切り板と前記第２の仕切り板とを備え、前記取付けベースに前記第１の仕切り板を収納するとき、該第１の仕切り板は、前記取付けベースから引出しまたは収納する方向に摺動する前記一対のアームと一体となって、前記取付けベースの内部に収納され、前記第２の仕切り板は、前記取付けベースに収納されたとき、該第２の仕切り板の引出し方向側が、一部、常に前記取付けベースから露出し、前記第２の仕切り板は、透明で、一定の強度と弾性を有しており、第１の位置にある前記第２の仕切り板を引出したい場合、前記第２の仕切り板に形成した指掛け部に指を掛け引出し、前記第２の仕切り板の引出しに続けて、前記第１の仕切り板を前記一対のアームと共に引出すことは可能である、遊技台の台間に配置される台間サンドにおいて、前記取付けベースの前面の上部に配置され、ポップ広告を収納する、縦型の掘り込み状の第１の収納部を有し、さらに、前記取付けベースにおいて、その前面で、前記第１の収納部に対し垂直下部に位置し、軸支され使用時に倒置される底部と、支え部とにより、遊技客の嗜好物または載置可能な所有物をセット可能な、縦型の第２の収納部が基体が配置される。
【００１１】
（６）本発明の第４の態様では、遊技台の台間に配置される台間サンドにおいて、取付けベースの内部の上端面及び下端面に配置され、該取付けベースからの引出しまたは収納が可能な一対のアームと、前記一対のアームの上端面及び下端面に固定された第１の仕切り板と、前記一対のアームの上端面及び下端面に設けた溝に、第２の仕切り板は前記取付けベースから引出しまたは収納する方向に摺動可能に設けられ、前記一対のアームに対し前記第１の仕切り板と前記第２の仕切り板とを備え、前記取付けベースに前記第１の仕切り板を収納するとき、該第１の仕切り板は、前記取付けベースから引出しまたは収納する方向に摺動する前記一対のアームと一体となって、前記取付けベースの内部に収納され、前記第２の仕切り板は、前記取付けベースに収納されたとき、該第２の仕切り板の引出し方向側が、一部、常に前記取付けベースから露出し、前記第２の仕切り板は、透明で、一定の強度と弾性を有しており、第１の位置にある前記第２の仕切り板を引出したい場合、前記第２の仕切り板に形成した指掛け部に指を掛け引出し、前記第２の仕切り板の引出しに続けて、前記第１の仕切り板を前記一対のアームと共に引出すことは可能である、遊技台の台間に配置される台間サンドにおいて、前記取付けベースにおいて、その前面で上部側に位置し、縦型で掘り込み状の第１の収納部には、少なくともポップ広告または遊技場のサービス案内情報が収納可能であり、さらに、前記取付けベースにおいて、その前面で、前記第１の収納部に対し垂直下部に位置し、軸支され使用時に倒置される底部と、支え部とにより、遊技客の嗜好物または載置可能な所有物をセット可能な、縦型の第２の収納部が基体に配置される。
【００１２】
（７）上記（１）〜（６）において、前記第２の仕切り板は、前記一対のアームの溝の端部から脱落しないように、凸部が前記第２の仕切り板の上端と下端に設けられ、前記第２の仕切り板を前記取付けベースから引出しまたは収納する動作に対応して、該第２の仕切り板の前記凸部を前記一対のアームの前記溝の端部に当接させて、前記第１の仕切り板を前記取付けベースから引出しまたは収納させる。
【発明の効果】
【００１３】
本発明に係る仕切り体によれば、隣り合う遊技客同士の分煙機能を達成し、及び／又は、各遊技客の占有空間を確保し、遊技機からの仕切りの距離を幅広く調整でき、使用にあたり遊技客の集中を阻害せず、しかもコストのかからない台間サンドを提供することができる。
【図面の簡単な説明】
【００１４】
【図１】本発明に係る実施形態の仕切り体であって、仕切り板を最大限引出した状態を示す図である。
【図２】本発明に係る実施形態の仕切り体であって、仕切り板を収納した状態を示す図である。
【図３】本発明に係る実施形態の仕切り体を遊技機島に設けた状態を模式的に俯瞰した図である。
【図４】従来の技術の仕切り板の一例を示す図である。
【図５】従来の技術のロールスクリーンの一例を示す図である。
【図６】従来の技術のエアカーテン装置の一例を示す図である。
【発明を実施するための形態】
【００１５】
以下、本発明に係る実施形態の仕切り体（遊技機の台間に配置される台間サンド）について、図面を参照しながら詳細に説明する。
【００１６】
図１は、本発明に係る実施形態の仕切り体１について、第１の仕切り板４及び第２の仕切り板５を最大限引出した状態を示している。取り付けベース２は、その前面が遊技機Ｂの枠体とほぼ同じ位置となるよう遊技機Ｂの台間に配置される。取り付けベース２の上部及び下部の内側には、引出可能な一対のアーム３が設けられており、一対のアーム３の間には、第１の仕切り板４が固定されている。さらに、一対のアーム３には溝が設けられており、その溝には摺動可能に第２の仕切り板５が配置されている。第２の仕切り板５は、一対のアーム３の溝の端部から脱落しないための凸部を上端と下端の所定の位置に有している（図示せず）。
【００１７】
取り付けベース２の前面には、その上部であってアーム３の下方に縦型の掘り込み状の第１の収納部６が設けられている。第１の収納部６には、遊技機Ｂの遊技方法を解説したポップ広告や遊技場のイベント案内、飲み物等の店内サービス案内などを収納することができる。第１の収納部６の上端にはポップ広告等に取り付けられたストラップを係合するための留め具６ａが設けられている。従来、留め具にストラップを介してぶら下げられたポップ広告等は、使用しないときは、遊技機Ｂの台間にある玉貸し機又はメダル貸し機に設けられたペーパーホルダーなどに挟持される場合が多い。しかし、本発明の実施形態では掘り込み状の第１の収納部６にポップ広告等を収納でき、ポップ広告等が仕切り板と台間の密接した空間に平行な状態で共存することにより、仕切り板の引出、収納の妨げになることを回避できる。
【００１８】
また、取り付けベース２の前面には、その下部であってアーム３の上方に配置された基体７に配置された底部８ａと支え部８ｂからなる第２の収納部８が設けられている。底部８ａと支え部８ｂは基体７に展開可能に軸支されており、底部８ａを手前に倒すことにより支え部８ｂとともにセットすることができる。基体７は、取り付けベース２の所定の位置に固定してもよいし、着脱可能な構成にしてもよいし、さらには、取り付けベース２の中に収納可能なものとしてもよい。収納可能なものとする場合は、手動の引出しタイプであってもよいし、プッシュ式の開放手段などを備えたものにしてもよい。第２の収納部８には、各種ドリンク類のほか、タバコや携帯電話などの遊技客所有の小物を置いて利用することができる。
【００１９】
次に、図２は、第１の仕切り板４及び第２の仕切り板５を取り付けベース２の中に収納した状態を示している。第１の仕切り板４は一対のアーム３とともに取り付けベース２の中に完全に収納されるが、第２の仕切り板５の外側の一部は取り付けベース２から露出した状態となる。これは、第２の仕切り板５の少なくとも一部が常に露出していることによって、遊技機Ｂの台間に仕切り板がある事実を遊技客に予め知らしめて遊技客の利便に供するとともに、仕切り板の使用にあたって隣り合う遊技客同士のトラブルを未然に防止する狙いもある。
【００２０】
図２の状態において遊技客が遊技機Ｂに対向して設けられている椅子Ｃに着席し、仕切り板を引出したい場合は、第２の仕切り板５に設けられた穴５ａに指を掛けて引出すと、まず第２の仕切り板５のみが引出されてくる。遊技客は任意の位置で引出を止めることができる。そして、第２の仕切り板５が全部引出されても遊技客が不十分と認識してさらに引出し続けると、第２の仕切り板５の上端及び下端に設けられた凸部が一対のアーム３の溝の外側の端部に引っ掛かることによって、一対のアーム３ひては第１の仕切り板４が引出されてくる。遊技客は任意の位置で引出を止めることができ、図１に示すように、一対のアーム３の全長が引出された位置で停止する。
【００２１】
逆に、図１の状態において遊技客が遊技機Ｂに対向して設けられている椅子Ｃに着席し、仕切り板を収納したい場合は、第２の仕切り板５を取り付けベース２に向かって押し込むと、まず第２の仕切り板５のみが第１の仕切り板４に沿って収納されていく。そして、第２の仕切り板５の上端及び下端に設けられた凸部が一対のアーム３の溝の奥側の端部に当接することによって、一対のアーム３ひいては第１の仕切り板４が第２の仕切り板５と一体的に収納されていき、図１に示すように、仕切り板５の外側の一部が取り付けベース２から露出した状態で収納完了となる。
【００２２】
図３は、遊技機島Ａに多数配置された遊技機Ｂの台間に本発明の仕切り体１が設置された状態を、模式的に表した平面図である。見易くするため、一対のアーム３や第１の収納部６などの一部の要素は省略されている。また、図中には記載していないが、遊技機島Ａには、実際には仕切り体１のほかに玉貸し機やメダル貸し機が設けられている。図の左上に示された仕切り体１が第１の仕切り板４及び第２の仕切り板５を最大限引出した状態のものである（図１参照）。そして、右下に示された仕切り体１が２つの仕切り板４、５を収納し、第２の仕切り板５の外側の一部が取り付けベース２から露出した状態のものである（図２参照）。基体７に設けられた第２の収納部８は、いずれの場合も使用されている状態である。
【００２３】
第１の仕切り板４及び第２の仕切り板５の素材としては、透明なものが好ましい。遊技客又は遊技客を装ったいわゆるゴト師が、仕切り板があることを奇禍として防犯カメラの死角をついて遊技機に対する不正行為を行わないよう、監視する必要があるからである。また、遊技客が接触した時に破損したり、遊技客が怪我を負わないようにするため、一定程度の強度と弾性を有する素材が好ましい。これらの条件を満たすためにはアクリル製のボードが好適であるが、もちろんそれに限定されるものではなく、透明であって一定の強度と弾性を有しているものであれば差し支えない。
【００２４】
以上、実施形態について詳述したが、本発明に係る仕切り体は、上述した実施形態に限定されるものではなく、特許請求の範囲に記載された本発明の要旨の範囲内において、種々の変形、変更が可能である。
【００２５】
例えば、上述の実施形態では、仕切り体１それ自体を独立した構成としているが、パチンコ用の玉貸し機又はパチスロ用のメダル貸し機と一体的に構成してもよい。
【００２６】
また、上述の実施形態では、取り付けベース２の前面の第１の収納部６と第２の収納部８の間に空間が存在するが、この箇所に、例えば適当なサイズの液晶ディスプレイを装着し、テレビ放送、ビデオ、遊技関連の各種情報を遊技客に提供することとしてもよい。
【００２７】
また、上述の実施形態では、第２の仕切り板５に指掛け用の穴５ａを設けているが、その代わりに、取っ手のようなものを第２の仕切り板５の所定の位置に取り付けてもよい。
【００２８】
また、上述の実施形態では、第２の仕切り板５に枠体を設けていないため、第２の仕切り板５自体が一定の強度を必要とするが、枠体を設けてそれに強度を持たせたうえで、第２の仕切り板５の素材をよりソフトなもの、例えばビニールシートなどのようなものにしてもよい。
【符号の説明】
【００２９】
１    仕切り体（台間サンド）
２    取り付けベース
３    一対のアーム
４    第１の仕切り板
５    第２の仕切り板
６    第１の収納部
６ａ  留め具
７    基体
８    第２の収納部
８ａ  第２の収納部の底部
８ｂ  第２の収納部の支え部
Ａ    遊技機島
Ｂ    遊技機
Ｃ    椅子
【図１】
0006042524.tif 000002
【図２】
0006042524.tif 000003
【図３】
0006042524.tif 000004
【図４】
0006042524.tif 000005
【図５】
0006042524.tif 000006
【図６】
0006042524.tif 000007